(57)【要約】【課題】  部材の構成によって環境応力破壊を生じにくいトリガー式液体噴出器を提供すること。【解決手段】  トリガーボディ２２の前側にノズル２０を設け、トリガーボディ２２の液流路とノズル２０の噴出孔ｄとの間にスピンエレメント２１を備えるトリガー式液体噴出器であって、トリガーボディ２２とスピンエレメント２１を一体成形し、界面活性剤及び／又は漂白剤を内容液とするものである。【選択図】  図１
2006136803.tif 000002
【特許請求の範囲】
【請求項１】
トリガーボディの前側に噴出孔を備えるノズルを設け、トリガーボディの液流路とノズルの噴出孔との間にスピンエレメントを備えるトリガー式液体噴出器であって、
トリガーボディとスピンエレメントを一体成形してなり、界面活性剤及び／又は漂白剤を含有する液体を内容液とするトリガー式液体噴出器。
【請求項２】
前記スピンエレメントとトリガーボディの液流路に沿う軸方向であって、該トリガーボディの後側に開口部を備え、該開口部を閉塞する栓を設けた請求項１に記載のトリガー式液体噴出器。
【請求項３】
前記ノズルを、トリガーボディに対して回動自在に備える請求項１又は２に記載のトリガー式液体噴出器。
【発明の詳細な説明】
【技術分野】
【０００１】
本発明は、トリガー式液体噴出器に関する。
【背景技術】
【０００２】
特許文献１に記載の如く、トリガー式液体噴出器として、トリガーボディの前側にノズルを取付け、トリガーボディの液流路とノズルの噴出孔との間にスピンエレメントを取付け、トリガーボディの液流路を圧送されてきた液体にスピンエレメントからノズルへの液流路によって旋回動を与え、旋回された液体をノズルの噴出孔から噴出するものがある。
【特許文献１】特開平8-332422
【発明の開示】
【発明が解決しようとする課題】
【０００３】
特許文献１のトリガー式液体噴出器では、トリガーボディとスピンエレメントの嵌合部が、界面活性剤を含む漂白剤等の内容液に常に晒されながら、嵌合による応力を定常的に生じているから、長期間の使用により環境応力破壊による破損を生じる場合がある。内容液が界面活性剤と次亜塩素酸ナトリウムを含有する場合、又は、内容液が界面活性剤と過酸化水素系漂白剤を含有する場合には、界面活性剤と次亜塩素酸ナトリウム、又は界面活性剤と過酸化水素系漂白剤との相乗効果により、更に破損を生じる場合がある。
【０００４】
これに対して、例えば、トリガーボディとスピンエレメントの嵌合部分においては、トリガーボディとスピンエレメント樹脂の厚さを厚くする、それらの嵌合部の周辺にカバーを付ける等の対応がとられているが、容器全体の重量が重くなる等の問題がある。
【０００５】
そこで、本発明の課題は、トリガーボディとスピンエレメントの樹脂量を多くする等の対応をしなくても、トリガーボディとスピンエレメントの環境応力破壊を生じにくいトリガー式液体噴出器を提供することにある。
【課題を解決するための手段】
【０００６】
請求項１の発明は、トリガーボディの前側にノズルを設け、トリガーボディの液流路とノズルの噴出孔との間にスピンエレメントを備えるトリガー式液体噴出器であって、トリガーボディとスピンエレメントを一体成形し、界面活性剤及び／又は漂白剤を含有する液体を内容液とするものである。
【発明を実施するための最良の形態】
【０００７】
以下に、図面を用いて本発明の実施形態について説明をする。
トリガー式液体噴出器１０は、図１に示すように、容器１１の開口部に接続される通液体１２を、該容器１１に螺着されるキャップ１３により該容器１１に固定する。トリガー式液体噴出器１０は、通液体１２にトリガーボディ２２を嵌合して一体化し（通液体１２とトリガーボディ２２は一体成形されることも可能である）、トリガーボディ２２の主筒部２２Ａをキャップ１３の側から起立し、主筒部２２Ａの中間部から前方にシリンダ筒２２Ｂを突設し、シリンダ筒２２Ｂより上部から前方に向けて射出筒２２Ｃを突設している。尚、ここでいう前方とは、トリガー式液体噴出器１０から液体を噴出する方向をいう。
【０００８】
トリガー式液体噴出器１０は、トリガーレバー１５の上端部をトリガーボディ２２の射出筒２２Ｃにおける前方側に枢支させ、トリガーレバー１５の中間部の後面をシリンダ筒２２Ｂに挿入されるプランジャ１７の前端部に係合させ、シリンダ筒２２Ｂに内臓のスプリング１８によりプランジャ１７を介してトリガーレバー１５を前方に弾発させる。
【０００９】
トリガー式液体噴出器１０は、トリガーボディ２２の射出筒２２Ｃの前端にノズル２０を設け、トリガーボディ２２の射出筒２２Ｃに設けられる液流路ａと、ノズル２０の液流路ｃ、噴出孔ｄとの間には、液流路ａ、ｃに連通しうる液流路ｂを形成するスピンエレメント２１を備える（図２参照）。
【００１０】
トリガー式液体噴出器１０は、容器１１の内部に延びるディップチューブ３１をトリガーボディ２２の主筒部２２Ａの下端部又は通液体１２の下端部に挿着して備え、通液体１２の内部であって、ディップチューブ３１の上部に、入側逆止弁３２、出側逆止弁３３を備える。
【００１１】
これにより、トリガー式液体噴出器１０は、トリガーレバー１５の引き操作に基づくプランジャ１７の加圧動作により、シリンダ筒２２Ｂ内の液体を出側逆止弁３３経由で、射出筒２２Ｃの液流路ａ、スピンエレメント２１の液流路ｂ（ｂ１、ｂ２、ｂ３）、ノズル２０の液流路ｃを介して噴出孔ｄから噴出する。一方、トリガーレバー１５の引き操作に基づくプランジャ１７の加圧動作によるディップチューブ３１側への液流出が入側逆止弁３２によって防止される。そして、トリガーレバー１５の引き操作解除に基づくプランジャ１７の戻り動作により、容器１１内の液体を入側逆止弁３２を経由してシリンダ筒２２Ｂに吸い込む。
【００１２】
尚、トリガー式液体噴出器１０は、トリガーボディ２２に支持されてトリガーボディ２２の上面部、背面部、及び両側面部を覆うシュラウド４１により、ノズル２０の上部と側面部の一方を覆う。シュラウド４１の両側内面に前後方向に設けた複数のリブ４１Ｄ（不図示）の間に形成される溝を案内溝として、この溝にトリガーボディ２２の両側面部に設けたリブ４２Ｄ（不図示）を嵌め、シュラウド４１をトリガーボディ２２の高さ方向で位置決めする。更に、シュラウド４１の天面の内面に設けた係止部４１Ａを、トリガーボディ２２の主筒２２Ａ又は射出筒２２Ｃの上面に設けた係止部４２Ａに係止し、シュラウド４１の天面前方の内側に設けた係止部４１Ｂを、トリガーボディ２２の射出筒２２Ｃの上面に設けた係止部４２Ｂに係止し、シュラウド４１の底面の前端側の内面に設けた係止部４１Ｃを、トリガーボディ２２の主筒２２Ａの後面に設けた係止部４２Ｃに係止することにより、シュラウド４１をトリガーボディ２２に係止固定する。
【００１３】
また、トリガー式液体噴出器１０は、トリガーボディ２２の上部とシュラウド４１との間に空隙を備え、トリガーボディ２２の係止部４２Ｂは、トリガーボディ２２の上部から突設してノズル２０方向に湾曲した平板状をなし、その先端上部、又は端部をシュラウド４１の内面、及び／又は係止部４１Ｂに当接（又は微小隙間を介して対向）配置してなる。
【００１４】
トリガー式液体噴出器１０は、液流路ｃを形成するとともに噴出孔ｄを備えるノズル２０をトリガーボディ２２に回動自在に取着（又は嵌着）している。ノズル２０をトリガーボディ２２に対して回動することによって、ノズル２０に設けられた溝による旋回流路ｃ、噴出孔ｄの後部で、ノズル２０の内周に設けられた溝による流路ｂ２とスピンエレメント２１の外周面に設けられた溝による流路ｂ３を互いに周方向で重ねて連通し、これらの流路ｂ２、ｂ３をノズル２０の液流路ｃ、噴出孔ｄに連通させる。
【００１５】
また、トリガー式液体噴出器１０は、トリガーレバー１５のためのストッパノブ４４をノズル２０の外周に一体に備えて、トリガーボディ２２に回動自在に取着（又は嵌着）している。尚、トリガー式液体噴出器１０は、トリガーボディ２２に回動自在に取着（又は嵌着）したノズル２０の外周に、トリガーレバー１５のためのストッパノブ４４の取付部４４Ａを取着することも可能である。
【００１６】
トリガー式液体噴出器１０は、シュラウド４１がノズル２０を覆っていない範囲において、ストッパノブ４４を待機位置からストップ位置に回動させると、トリガーレバー１５がストッパノブ４４に係合して引き操作不可になる。また、ストッパノブ４４をストップ位置に回動させると、ストッパノブ４４がトリガーレバー１５の引き方向の側でトリガーボディ２２と接し、ストッパノブ４４とトリガーレバー１５の撓みによる引き操作、又は、取着部の緩みや撓み等による引き操作も不可になる。
【００１７】
尚、トリガー式液体噴出器１０は、ノズル２０がストッパノブ４４と共にボディ２２に回動可能に取着又は嵌着されているため、ストッパノブ４４をストップ位置に回動させると、ノズル２０の内径に設けられた溝（流路ｂ２）とスピンエレメント２１の外周面に設けられた溝（流路ｂ３）の周方向での重なりがなくなり、ノズル２０の液流路ｃ、噴出孔ｄへの流路が閉塞する。一方、ストップ位置から開き位置に回動させると、流路ｂ２を形成する溝と流路ｂ３を形成する溝が周方向で重なるものとなり、流路ｂ２が流路ｂ３と連通し、同時に旋回流路ｃにも連通するものとなる。
【００１８】
トリガー式液体噴出器１０は、トリガーボディ２２に対しノズル２０、スピンエレメント２１を以下の如くに設ける。
【００１９】
ノズル２０は、図１に示す如く、トリガーボディ２２の射出筒２２Ｃの前端に備える嵌合部、及びスピンエレメント２１の外周部に回動可能に取着又は嵌着される。即ち、ノズル２０の後方に備える外側環状溝部２０Ａに、トリガーボディ２２の射出筒２２Ｃの前端に備える環状突部２２Ｄが取着され、ノズル２０の内側環状突部２０Ｂの内部に、スピンエレメント２１が取着される。
【００２０】
スピンエレメント２１は、図１、図２に示す如く、トリガーボディ２２の射出筒２２Ｃの前端に合成樹脂等（例えばポリプロピレン（ＰＰ）、ポリエチレン（ＰＥ）等）で一体成形される。
【００２１】
スピンエレメント２１は、トリガーボディ２２の射出筒２２Ｃの後部に設けた開口部２４によってトリガーボディ２２の後方から射出成形等の金型成形により一体成形される。即ち、トリガーボディ２２の射出筒２２Ｃの内部は、スピンエレメント２１から開口部２４まで概ね一直線に延在する孔２４Ａを備えているため、この孔２４Ａの開口部２４からスピンエレメント２１を形成するための金型を抜くことを可能とする。尚、孔２４Ａは、主筒２２Ａの内部から連通し、孔２４Ａの後部に形成された開口部２４は、主筒２２Ａの上部であって、スピンエレメント２１とトリガーボディ２２の射出筒２２Ｃの液流路となる孔２４Ａの軸方向後側に開口し、その開口部２４に栓２５を封着される。
【００２２】
開口部２４は、トリガーボディ２２の射出筒２２Ｃから金型を抜くことができる大きさ、及び／又は射出筒２２Ｃに別部材の筒状体２３を後述する如くに挿入することができる大きさである。尚、開口部２４と栓２５の封着部は、トリガーボディ２２の主筒２２Ａの内部に挿着された通液体１２が開口部２４を外部に対して液密に封止するように延在しているため、内容液に直接晒されることがない。
【００２３】
スピンエレメント２１は、先端が閉塞した筒状であって、その内径は、トリガーボディ２２の射出筒２２Ｃの内径、及び、射出筒２２Ｃに挿着された筒状体２３の内径より小さい。スピンエレメント２１の内径は一定であることは必ずしも必要でなく、先端が基端側（トリガーボディ２２の射出筒２２Ｃ側）より小径であっても良い。
【００２４】
スピンエレメント２１とノズル２０は、射出筒２２Ｃの液流路ａとノズル２０の噴出孔ｄとの間に以下の如く、液流路ｂ（ｂ１，ｂ２，ｂ３）、液流路ｃを備える（図２〜図７）。
【００２５】
スピンエレメント２１は、射出筒２２Ｃの液流路ａに常時連なる切り欠き状の液流路ｂ１を基端側（トリガーボディ２２の側）に備え、液流路ｂ１に常時連なり軸方向に延在する液流路ｂ２をノズル２０の内周に備える溝とスピンエレメント２１の外周によって形成する。トリガーボディ２２の射出筒２２Ｃの内部に形成された液流路ａからノズル２０の噴出孔ｄへの流路は、射出筒２２Ｃの内部に挿着された筒状体２３によって流路面積を絞られて、更に、液流路ｂ１、ｂ２により絞られる。
【００２６】
スピンエレメント２１は、液流路ｂ２に連通しうる液流路ｂ３を、スピンエレメント２１の先端域外周の軸方向に延在する溝とノズル２０の内周とによって形成する。液流路ｂ３は、ノズル２０の回動によって液流路ｂ２と連通する。即ち、液流路ｂ２とｂ３を形成する溝は、スピンエレメント２１の先端域外周に延在する溝の基端域と、ノズル２０の内周に延在する溝の先端域が軸方向で重なる長さに延在し、ノズル２０を回転することにより、それらの溝が周方向での重なりを形成して液流路ｂ２とｂ３を連通させる。
【００２７】
ノズル２０は、スピンエレメント２１の中心部に相当する位置に噴出孔ｄを備えるとともに、スピンエレメント２１の液流路ｂ３が噴出孔ｄに連通しうる旋回流路ｃを、スピンエレメント２１の先端面とノズル２０の内周に備える旋回状の溝によって形成する。即ち、旋回流路ｃは、スピンエレメント２１の先端面と、該先端面が当接するノズル２０の内周面における噴出孔ｄから周方向かつ半径方向に旋回状に延在する溝によって形成する。また、旋回流路ｃを形成するノズル２０の溝は、噴出孔ｄから周方向に少なくとも１位置に備え、本実施形態では２位置に備える。
【００２８】
従って、トリガー式液体噴出器１０にあっては、射出筒２２Ｃの液流路ａの内容液が、スピンエレメント２１の液流路ｂ１、スピンエレメント２１とノズル２０が形成する液流路ｂ２、ｂ３、ノズル２０の旋回流路ｃに圧送され、液流路ｂ１、ｂ２、ｂ３の絞り流路で流速を高められた状態で、旋回流路ｃで旋回動を付与された液体がノズル２０の噴出孔ｄから噴出せしめられる。このとき、ノズル２０に設けてある空気取入れ口２６から流入する空気が内容液に混合して内容液を泡化し、内容液を泡状として吐出可能にする。
【００２９】
トリガー式液体噴出器１０の内容液としては、例えば界面活性剤、又は漂白剤を含有する液体、更に環境応力破壊を生じ易い界面活性剤と漂白剤の両方を含有する液体を採用できる。尚、漂白剤は、過酸化水素系漂白剤を含有するものであっても良く、又は、次亜塩素酸ナトリウムを含有するものであっても良い。
【００３０】
また、トリガー式液体噴出器１０の内容液としては、例えば、界面活性剤の濃度が0.05％以上、60％以下の液体を採用することが可能である。また、内容液として次亜塩素酸ナトリウムの濃度が0.1％以上の液体を採用できるが、より高濃度の2％以上の液体を採用することも可能であり、次亜塩素酸ナトリウムの安定性の観点から6％以下の濃度の液体を採用することができる。また、内容液として過酸化水素系漂白剤の濃度が0.1％以上の液体を採用できるが、より高濃度の3％以上の液体を採用することも可能であり、法規制より6％以下の濃度の液体を採用することができる。
【００３１】
本実施形態によれば以下の作用効果を奏する。
トリガー式液体噴出器１０は、トリガーボディ２２とスピンエレメント２１を一体成形したから、トリガーボディ２２にスピンエレメント２１を嵌合して固定することがない。従って、トリガーボディ２２とスピンエレメント２１が界面活性剤及び／又は漂白剤を含有する内容液に晒されても、スピンエレメント２１（及びトリガーボディ２２）に環境応力破壊を誘引するような応力を生ずることがなく、環境応力破壊を防止できる。
【００３２】
トリガー式液体噴出器１０は、トリガーボディ２２の後ろ側に開口部２４を設けたから、この開口部２４から型抜きされる金型を用いて、スピンエレメント２１を容易に一体成形することができる。即ち、トリガーボディ２２の開口部２４から射出筒２２Ｃの内径より小さな内径で先端が閉塞したスピンエレメント２１まで、主筒２２Ａの上部と射出筒２２Ｃの内部を経由して連通する孔を金型成形することができる。
【００３３】
トリガー式液体噴出器１０は、ノズル２０をトリガーボディ２２に対して回動自在に備えるから、ノズル２０の回動により液流路ｂの連通、閉塞を制御することができ、ノズル２０と共に回動するストッパノブ４４によりトリガーレバー１５の引き操作を不可能とすることができる。
【００３４】
トリガーボディ２２の主筒部２２Ａの上部に設けられた開口部２４には栓２５が封着され、主筒部２２Ａに挿着された通液体１２により、開口部２４と栓２５の封着部は内容液に直接晒されることがないから、開口部２４における環境応力破壊を防止できる。
【００３５】
トリガーボディ２２の射出筒２２Ｃの流路は、開口部２４の側から筒状体２３を挿着することによって流路面積を少なく、即ち、液体の高圧噴出化のために流路ａを絞ることができる。尚、射出筒２２Ｃ自身に細孔を成形するものでないから、射出筒２２Ｃのための成形金型ピンを太径化して強度確保できる。筒状体２３は、嵌合強度を必要としないから、低密度ポリエチレン（ＬＤＰＥ）、又は直鎖低密度ポリエチレン（Ｌ-ＬＤＰＥ）等の軟質合成樹脂の部材を採用可能であり、軟質部材の採用により環境応力が発生せず、環境応力破壊を防止できる。
【図面の簡単な説明】
【００３６】
【図１】図１はトリガー式液体噴出器を示す断面図である。
【図２】図２は図１の要部拡大図である。
【図３】図３は図２のIII−IIIに沿う断面図である。
【図４】図４は図２のIV−IVに沿う断面図である。
【図５】図５は図２のＶ−Ｖに沿う断面図である。
【図６】図６は図２のVI−VIに沿う断面図である。
【図７】図７は図２のVII−VIIに沿う断面図である。
【図８】図８は図２のVIII−VIIIに沿う断面図である。
【符号の説明】
【００３７】
１０  トリガー式液体噴出器
２０  ノズル
２１  スピンエレメント
２２  トリガーボディ
２４  開口部
２５  栓
【図１】
2006136803.tif 000003
【図２】
2006136803.tif 000004
【図３】
2006136803.tif 000005
【図４】
2006136803.tif 000006
【図５】
2006136803.tif 000007
【図６】
2006136803.tif 000008
【図７】
2006136803.tif 000009
【図８】
2006136803.tif 000010